(57)【要約】【課題】切断時のラップの張りを確実に確保し、なおかつ切断後のラップの蓋部側への付着やラップの巻き戻りを抑制する。【解決手段】フィルムケース１は、収納されたラップＲを巻筒Ａから引き出すための開口部２０が形成されたケース本体部１０と、ケース本体部１０の長手方向に延びる軸２２の周りに回動し、開口部２０を開閉する蓋部１１を有する。蓋部１１の内面には、開口部２０を閉鎖する際にラップＲを切断する刃部３０と、ケース本体部１０との間でラップＲを押える押え部３１、３２が設けられている。押え部３１、３２は、蓋部１１の幅方向の刃部３０を挟んだ両側に配置されている。刃部３０より蓋部１１の幅方向の外側の押え部３１は、内側の押え部３２よりも開口部２０側に突出している。【選択図】図４
2014196149.tif 000002
【特許請求の範囲】
【請求項１】
巻筒に巻かれたフィルムを収納するフィルムケースであって、
収納されたフィルムを前記巻筒から引き出すための開口部が長手方向に沿って形成されたケース本体部と、
前記ケース本体部の長手方向に延びる軸の周りに回動し、前記開口部を開閉する蓋部と、を有し、
前記蓋部の前記開口部側の内面には、当該蓋部の長手方向に沿って形成され、前記開口部を閉鎖する際にフィルムを切断する刃部と、前記蓋部の長手方向に沿って形成され、前記開口部を閉鎖する際に前記ケース本体部との間でフィルムを押える押え部が設けられ、
前記押え部は、前記蓋部の幅方向の前記刃部を挟んだ両側に配置され、
前記刃部より前記蓋部の幅方向の外側の押え部は、内側の押え部よりも前記開口部側に突出している、フィルムケース。
【請求項２】
前記刃部の先端は、前記外側の押え部と内側の押え部との頂点を結んだ仮想線の内部に位置する、請求項１に記載のフィルムケース。
【発明の詳細な説明】
【技術分野】
【０００１】
本発明は、巻筒に巻かれたフィルムを収納するフィルムケースに関する。
【背景技術】
【０００２】
例えば円筒状の巻筒に巻かれたラップなどのフィルムは、フィルムケースに収納される。通常フィルムケースには、蓋に刃が取り付けられており、使用者は、フィルムをフィルムケースから必要な長さ引き出し蓋の刃で切断して使用する。
【０００３】
上述のフィルムケースには、様々な種類のものがある。例えば刃付きの蓋を閉めることによって、フィルムを切断するフィルムケースが提案されている（特許文献１、２参照）。このフィルムケースでは、蓋を閉めないとフィルムを切断できないため、使用者のフィルムの切断のやり方が自然に同じになり、誰が使っても適切にフィルムを切断することができる。
【０００４】
上記種類のフィルムケースとして、例えば蓋側の刃が入る切断溝の両側にフィルムのグリップ面が配置され、フィルムの切断時には、当該グリップ面と、その両側の縦フランジでフィルムを保持し、フィルムに張力を付加するものが提案されている（特許文献３参照）。これにより、フィルムの切断を滑らかに行うことができる。
【先行技術文献】
【特許文献】
【０００５】
【特許文献１】特開２００４−１３６９６６号公報
【特許文献２】特開２００５−８８９９１号公報
【特許文献３】特表２００５−５２６６３０号公報
【発明の概要】
【発明が解決しようとする課題】
【０００６】
しかしながら、上述のフィルムケースでは、フィルムのグリップ面への引っ掛かり具合によって、フィルムに十分な張力がかからない可能性がある。フィルムに十分な張力がかからない場合があると、切断時にフィルムが撓んで切断が適切に行われないことが生じるので、切断が安定しなくなる。また、上述のフィルムケースでは、切断後に蓋側の縦フランジにフィルムが付着したり、フィルムが巻筒に巻き戻ることが考えられ、その場合、次にフィルムを引き出す作業が困難になる。
【０００７】
本発明は、かかる点に鑑みてなされたものであり、切断時のフィルムの張りを確実に確保し、なおかつ切断後のフィルムの蓋側への付着やフィルムの巻き戻りを抑制することをその目的とする。
【課題を解決するための手段】
【０００８】
上記目的を達成するための本発明は、巻筒に巻かれたフィルムを収納するフィルムケースであって、収納されたフィルムを前記巻筒から引き出すための開口部が長手方向に沿って形成されたケース本体部と、前記ケース本体部の長手方向に延びる軸の周りに回動し、前記開口部を開閉する蓋部と、を有し、前記蓋部の前記開口部側の内面には、当該蓋部の長手方向に沿って形成され、前記開口部を閉鎖する際にフィルムを切断する刃部と、前記蓋部の長手方向に沿って形成され、前記開口部を閉鎖する際に前記ケース本体部との間でフィルムを押える押え部が設けられ、前記押え部は、前記蓋部の幅方向の前記刃部を挟んだ両側に配置され、前記刃部より前記蓋部の幅方向の外側の押え部は、内側の押え部よりも前記開口部側に突出している。
【０００９】
本発明によれば、蓋部の刃部の両側に配置された押え部により、切断時のフィルムの張りを確実に確保でき、フィルムの切断を安定させることができる。また、フィルムとケース本体部との密着性が上がるので、切断後のフィルムの蓋部側への付着やフィルムの巻き戻りを抑制でき、次のフィルムの引き出し作業を適切に行うことができる。また、刃部が外部から完全に隠れ、切断時に使用者が誤って刃部に触れることも防止される。
【００１０】
また、フィルムの刃部よりも外側の部分、つまりフィルムの使用者側に近い部分が先に押えられ、その後フィルムの刃部よりも内側の部分が押えられて、刃部におけるフィルムの張りができる。それ故、使用者によるフィルムの引き出しの張力の強弱に関わらず、刃部におけるフィルムの張りを確保できる。
【００１１】
また、前記刃部の先端は、前記外側の押え部と内側の押え部との頂点を結んだ仮想線の内部に位置してもよい。かかる場合、前記刃部と使用者の指先等との接触を回避することができる。前記内側の押え部が前記刃部の先端よりも突出した構成であれば、なおよい。
【発明の効果】
【００１２】
本発明によれば、切断時のフィルムの張りを確実に確保できるので、フィルムの切断を安定させることができる。また、切断後のフィルムの蓋部側への付着やフィルムの巻き戻りを抑制できるので、次のフィルムの引き出し作業を適切に行うことができる。
【図面の簡単な説明】
【００１３】
【図１】本実施の形態にかかるフィルムケースの斜視図である。
【図２】フィルムケースにフィルムを収納する際の説明図である。
【図３】フィルムケースの断面図である。
【図４】外側の押え部によりフィルムを押えた状態を示すフィルムケースの断面図である。
【図５】刃部がフィルムに接触した状態を示すフィルムケースの断面図である。
【図６】蓋部が閉まった状態を示すフィルムケースの断面図である。
【図７】蓋部が開いた状態を示すフィルムケースの縦断面図である。
【図８】巻筒の押え片の一例を設けたフィルムケースの縦断面図である。
【図９】内側の押え部よりも刃部の先端が突出している場合のフィルムケースの縦断面図である。
【発明を実施するための形態】
【００１４】
以下、図面を参照して、本発明の好ましい実施の形態について説明する。図１は、本実施の形態にかかるフィルムケース１の構成の概略を示す斜視図である。
【００１５】
フィルムケース１は、例えば図１に示すようにケース本体部１０と、蓋部１１を有している。ケース本体部１０は、略円筒状に形成され、図２に示すように円筒状の巻筒Ａに巻かれたフィルムとしてのラップＲを内部に収納できる。ラップＲは、例えばポリエチレン製のフィルムである。なお、ラップＲは、塩化ビニリデン製フィルム、その他の材質のフィルムであってもよい。ケース本体部１０の上面には、ラップＲを巻筒Ａから引き出すための開口部２０が形成されている。開口部２０は、ケース本体部１０の長手方向（図２のＸ方向）の両端部に亘り形成されている。また、開口部２０は、図３に示すようにケース本体部１０の最上部から周方向の一方向（図３の時計周り方向）に例えば３５〜４０°程度、他方向（図３の反時計周り方向）に例えば２０〜２５°程度の範囲で形成されている。
【００１６】
ケース本体部１０は、図２に示すように長手方向の両端面にフィルム交換用の蓋２１が脱着自在に設けられている。蓋２１の中心部には、ケース本体部１０の長手方向の中心側に突出する円錐部２１ａが形成されている。円錐部２１ａは、ケース本体部１０内の巻筒Ａの中心孔に挿入され、巻筒Ａを回転自在に保持しながら、巻筒Ａの位置決めを行うことができる。また、蓋２１の外側面には、突出部や曲面部が無いように平坦部が形成されている。これにより、蓋２１を取り付けたケース本体部１０はテーブル上で縦置きすることができる。なお、ケース本体部１０の下部には、足部Ｂが取り付けられており、蓋２１の下部には足部Ｂが挿入可能な溝部が設けられている。
【００１７】
蓋部１１は、開口部２０を覆うような板状に形成され、図３に示すようにケース本体部１０の開口部２０に面する背面側（図３の左側）の端部に回動自在に接続されている。蓋部１１は、長手方向の軸２２周りに回動することによって、開口部２０を開閉できる。
【００１８】
蓋部１１の開口部２０側の内面には、蓋部１１により開口部２０を閉鎖する際にラップＲを切断する刃部３０と、開口部２０を閉鎖する際にケース本体部１０との間でラップＲを押える押え部３１、３２が設けられている。刃部３０、押え部３１、３２は、蓋部１１の幅方向（図３のＹ方向）の外側（正面側）に配置されている。押え部３１、３２は、蓋部１１の幅方向に刃部３０を挟んだ両側に配置されている。刃部３０、押え部３１、３２は、蓋部１１の長手方向の両端部に亘って平行に形成されている。
【００１９】
刃部３０は、蓋部１１の内面から開口部２０側に突出し、その先端でラップＲを切断できる。押え部３１、３２は、蓋部１１の内面から開口部２０側に板状に突出している。押え部３１、３２は、例えば蓋部１１の回動の周方向に沿った円弧状に湾曲して形成されている。
【００２０】
押え部３１、３２は、刃部３０よりも長く開口部２０側に突出している。また、外側の押え部３１は、内側（背面側）の押え部３２よりも長く開口部２０側に突出している。したがって、蓋部１１を閉めると、略水平に引き出されたラップＲに対し最初に外側の押え部３１が接触し、次に内側の押え部３２が接触し、最後に刃部３０が接触する。
【００２１】
蓋部１１の内側の押え部３２のさらに内側（背面側）には、他の押え部３３が形成されている。他の押え部３３は、押え部３１、３２と同様に蓋部１１の長手方向の両端部に亘り形成され、開口部２０側に板状に突出している。他の押え部３３は、例えば内側の押え部３２よりも短く形成されている。なお、他の押え部３３は、押え部３１、３２と同様に蓋部１１の回動の周方向に沿った円弧状に湾曲して形成されていてもよい。
【００２２】
蓋部１１の刃部３０、押え部３１、３２、他の押え部３３に対向するケース本体部１０の部分は、他の部分に比べて肉厚に形成されている。この肉厚部４０は、例えば巻筒Ａの形状に合う円筒状の内面１０ａに対し、正面側の外面１０ｂを垂直にすることにより形成されている。また、肉厚部４０の上面はおよそ水平に形成されている。
【００２３】
肉厚部４０には、開口部２０の閉鎖時に、刃部３０、押え部３１、３２、他の押え部３３が挿入される溝５０、５１、５２、５３がそれぞれ形成されている。各溝５０〜５３は、刃部３０、押え部３１、３２、他の押え部３３が完全に挿入されて蓋部１１が閉まるような深さに形成されている。例えば溝５１、５２は、押え部３１、３２の形状に合わせて円弧状に形成されている。
【００２４】
図４に示すように溝５１の外側の内壁５１ａの上部には、内側に突出する突部５１ｂが形成されている。蓋部１１が閉まる際に、押え部３１が突部５１ａに押し付けられる。また、溝５１は、外側の内壁５１ａの上端面が内側の内壁５１ｃの上端面よりも低くなっている。
【００２５】
溝５２の内側の内壁５２ａには、外側に突出する突部５２ｂが形成されている。蓋部１１が閉まる際に、押え部３２が突部５２ａに押し付けられる。
【００２６】
また、溝５３（他の溝）の底には、蓋部１１が閉まる際に他の押え部３３の先端が入り込む凹部５３ａが形成されている。
【００２７】
なお、ケース本体部１０には、図８に示すように、フィルム操作側端部Ｃから、開口部２０を１０％〜６０％の範囲で覆う、巻筒の押え片５４が形成されていてもよい。この押え片５４は、フィルム操作部端部Ｃに設けられた長手方向に延びる軸５４ａの周りに回動可能に形成されている。
【００２８】
なお、ケース本体部１０と、刃部３０以外の蓋部１１は、例えば射出成形により成形されている。ケース本体部１０と蓋部１１、押え片５４の成形は、通常公知の方法を用いて可動できるように行われ、特に、一般的にプラスチックの「異形押出法」として知られる押出成形法により、ケース本体部１０と蓋部１１、押え片５４が連続的に一体成形されることが生産上好ましい。ケース本体部１０とフィルム交換用の蓋２１、刃部３０以外の蓋部１１の材質には、プラスチック、アルミニウムなどが用いられる。プラスチックでは、成形性の良いポリプロピレン、ポリエチレン、ポリスチレン、ＡＢＳ樹脂等が用いられる。また、刃部３０の材質は、ブリキ等の金属、プラスチック、紙等、適宜フィルムに合わせて、刃先形状も含めて選定される。
【００２９】
次に、以上のように構成されたフィルムケース１の作用について説明する。
【００３０】
巻筒Ａに巻かれたラップＲは、図２に示すようにフィルム交換用の蓋２１が取り外され、ケース本体部１０の長手方向の端部から収納される。ラップＲを巻筒Ａから切り取る際には、フィルムケース１の蓋部１１が開けられ、開口部２０を通じてラップＲがフィルムケース１の正面方向に引っ張られ、巻筒Ａが回転して、ラップＲが所望の長さに引き出される。次に、蓋部１１が閉められて、刃部３０によりラップＲが切断される。
【００３１】
このラップＲの切断時において、蓋部１１が閉められる際には、図４に示すように先ず外側の押え部３１がラップＲに接触しラップＲを下方に押しながら、溝５１内に挿入される。このとき、ラップＲは、押え部３１と溝５１の突起５１ｂとの間に挟まれて押えられる。蓋部１１がさらに閉められると、内側の押え部３２がラップＲに接触しラップＲを下方に押しながら、溝５２内に挿入される。このとき、ラップＲは、押え部３２と溝５２の突起５２ｂとの間に挟まれて押えられる。こうして、ラップＲの押え部３１、３２の間の刃部３０に対向する部分に張力が付与される。なお、このとき、ラップＲが溝５１、５２に入り込むので、その分巻筒Ａが回転して、ラップＲが引き出される。
【００３２】
図５に示すように蓋部１１がさらに閉められると、他の押え部３３がラップＲに接触しラップＲを下方に押しながら溝５３内に挿入される。次に、刃部３０がラップＲに接触しラップＲを押し、蓋部１１が完全に閉まる前、或いは蓋部１１が完全に閉まるとほぼ同時にラップＲが切断される。図６に示すように蓋部１１が完全に閉まると、他の押え部３３の先端がラップＲを挟んで溝５３の底の凹部５３ａに当接する。この他の押え部３３により、切断により巻筒Ａ側に残ったラップＲがケース本体部１０に対して押えられる。切断されたラップＲは、フィルムケース１の正面側に引っ張られて取り出される。そして、次のラップＲの引き出しのために、図７に示すように蓋部１１が開けられると、巻筒Ａに通じるラップＲは、ケース本体部１０側の溝５０、溝５２、５３内に入り込んだ状態になる。
【００３３】
以上の実施の形態によれば、蓋部１１の刃部３０の両側に配置された押え部３１、３２により、切断時のラップＲの張りを確実に確保でき、ラップＲの切断を安定させることができる。また、切断時のラップＲとケース本体部１０との密着性が上がるので、切断後のラップＲの蓋部１１側への付着やラップＲの巻き戻りを抑制でき、次のラップＲの引き出し作業を適切に行うことができる。また、外側の押え部３１により、刃部３０が外部から完全に隠れ、使用者が誤って刃部３０に触れることも防止される。
【００３４】
外側の押え部３１は、内側の押え部３２よりも開口部２０側に突出しているので、ラップＲの刃部３０よりも使用者側に近い部分が先に押えられ、その後ラップＲの刃部３０よりも内側の部分が押えられて、刃部３０におけるラップＲの張りができる。このため、使用者によるラップＲの引き出しの張力の強弱に関わらず、刃部３０におけるラップＲの張りを確保できる。
【００３５】
内側の押え部３２より内側には、他の押え部３３が設けられ、ケース本体部１０には、その溝５３が形成されているので、切断により巻筒Ａ側に残るラップＲが押えられ、切断時のラップＲの巻き戻りを防止できる。また、ラップＲとケース本体部１０との密着性が上がるので、切断後のラップＲの蓋部１１側への付着を抑制でき、次のラップＲの引き出し作業がより行い易くなる。
【００３６】
他の押え部３３が挿入される溝５３には、他の押え部３３が入り込む凹部５３ａが形成されているので、ラップＲとケース本体部１０との密着性がさらに上がる。よって、切断後のラップＲの蓋部１１側への付着やラップＲの巻き戻りを抑制でき、次のラップＲの引き出し作業がより行い易くなる。
【００３７】
ケース本体部１０の開口部２０に押え片５４が形成された場合、前述の押え部や溝等の効果で抑制しきれなかったラップＲの巻き戻りによる巻筒Ａへの貼り付きを抑制することができ、復帰操作が容易になる。
【００３８】
押え部３１、３２と溝５１、５２は、蓋部１１の軸２２の周りの周方向に沿った円弧状に形成されている。このため、蓋部１１の開閉に伴う押え部３１、３２の回動に沿った形で、溝５１、５２の形が形成されるので、例えば溝５１、５２の幅を最小限にしてケース本体部１０をコンパクト化できる。
【００３９】
溝５１の外側の内壁５１ａには、内側に突出する突部５１ｂが形成されているので、外側の押え部３１と突部５１ｂとの間にラップＲが挟まれて押えられる。このため、刃部３０に対して溝５１の内側の内壁５１ｃに比べてより遠いところでラップＲが押えられ、ラップＲを押える部分と切断する部分との間に十分な距離ができる。この結果、フィルムの一部に張力がかかり過ぎて切断に不具合が生じることを抑制できる。また、ラップＲが押えられる部分がよりラップＲの取り出し口側に近くなるので、切断後のラップＲを取り出し易くなる。
【００４０】
溝５２の内側の内壁５２ａには、外側に突出する突部５２ｂが形成されているので、内側の押え部３２と突部５２ｂとの間にラップＲが挟まれて押えられる。このため、刃部３０に対して溝５２の外側の内壁に比べてより遠いところでラップＲが押えられ、ラップＲを押える部分と切断する部分との間に十分な距離ができる。この結果、ラップＲの一部に張力がかかり過ぎて切断に不具合が生じることを抑制できる。
【００４１】
溝５１の外側の内壁５１ａの上端面は、当該内側の内壁５１ｃの上端面よりも低くなっているので、切断後のラップＲが取り出し易い。
【００４２】
図７に示すように刃部３０の先端は、外側の押え部３１と内側の押え部３２との頂点を結んだ仮想線Ｄの内部に位置している。これにより、刃部３０と使用者の指先等との接触を回避することができる。なお、かかる場合において、図９に示すように刃部３０の先端が、内側の押え部３２よりも開口部２０側に突出していてもよい。
【００４３】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４４】
例えば上記実施の形態において、内側の押え部３２と外側の押え部３１が刃部３０よりも開口部２０側に突出しているものがあったが、いずれか一方のみが刃部３０より突出していてもよい。また上記実施の形態では、フィルムケース１がラップＲを収納するものであったが、本発明に係るフィルムケースは、ラップ以外のアルミホイル、クッキングペーパーなどの他のフィルムのケースにも適用できる。
【産業上の利用可能性】
【００４５】
本発明は、切断時のフィルムの張りを確実に確保し、なおかつ切断後のフィルムの蓋部側への付着やフィルムの巻き戻りを抑制する際に有用である。
【符号の説明】
【００４６】
１  フィルムケース
１０  ケース本体部
１１  蓋部
２０  開口部
３０  刃部
３１、３２  押え部
３３  他の押え部
５０〜５３  溝
【図１】
2014196149.tif 000003
【図２】
2014196149.tif 000004
【図３】
2014196149.tif 000005
【図４】
2014196149.tif 000006
【図５】
2014196149.tif 000007
【図６】
2014196149.tif 000008
【図７】
2014196149.tif 000009
【図８】
2014196149.tif 000010
【図９】
2014196149.tif 000011